(57)【要約】【課題】天井が高い吹き抜け空間等を効率よく照明することができる什器用照明器具、什器および什器システムを提供する。【解決手段】支柱１と、この支柱１に支持される棚２とを備えた什器に適用される什器用照明器具３であって、支柱１と略同幅の外形を有する棒状の外郭４と、外郭４内に保持された光源５とを有し、外郭４が支柱１の上側に支柱１に略同軸上に略一体的に取付けられて少なくとも什器の前面側を照明する。外郭４より什器の前面側と背面側を照明する場合がある。また外郭４の一端部に支柱１に沿って挿入することで支柱１に取付けられる支柱取付部６を設け、支柱１に対する外郭４の軸方向のぶれを調整するぶれ調整手段７を有する。【選択図】        図１
2005143703.tif 000002
【特許請求の範囲】
【請求項１】
支柱と、この支柱に支持される棚とを備えた什器に適用される什器用照明器具であって、前記支柱と略同幅の外形を有する棒状の外郭と、前記外郭内に保持された光源とを有し、前記外郭が前記支柱の上側に前記支柱に略同軸上に略一体的に取付けられて少なくとも前記什器の前面側を照明することを特徴とする什器用照明器具。
【請求項２】
前記外郭より前記什器の前記前面側と背面側を照明する請求項１記載の什器用照明器具。
【請求項３】
前記外郭の一端部に前記支柱に沿って挿入することで前記支柱に取付けられる支柱取付部を設け、前記支柱に対する前記外郭の軸方向のぶれを調整するぶれ調整手段を有する請求項１または請求項２記載の什器用照明器具。
【請求項４】
請求項１、請求項２または請求項３記載の什器用照明器具が設置されたことを特徴とする什器。
【請求項５】
前記支柱の上端部に横桟を設け、前記横桟内に安定器を内蔵した請求項４記載の什器。
【請求項６】
請求項２記載の什器用照明器具が設置された複数の什器を前後方向に対向配置したことを特徴とするた什器システム。
【発明の詳細な説明】
【技術分野】
【０００１】
本発明は、吹き抜け空間に設置する書架、スーパー・ホームセンターの陳列棚などの商業施設に適用できる什器用照明器具、什器および什器システムに関するものである。
【背景技術】
【０００２】
複数本のポール間に棚板を架設し、ポールを透光性にし内部にライン状の照明器具を内装した店舗用什器があった（特許文献１参照）。
【０００３】
この什器によれば、ポールから各棚板上に載置された物品を照明することができる。
【特許文献１】実開昭６３−２５０５１号公報
【発明の開示】
【発明が解決しようとする課題】
【０００４】
建物の吹き抜け空間に什器を書架用として設置する場合、書架の照明は十分であっても、吹き抜け空間の照明としては所定の鉛直面照度が確保できず不十分であるため、天井高さに応じて高ワット数の器具が別途に必要であった。このため十分な鉛直面照度を効率よく確保できる照明方式が望まれた。
【０００５】
したがって、この発明の目的は、天井が高い吹き抜け空間等を効率よく照明することができる什器用照明器具、什器および什器システムを提供することである。
【課題を解決するための手段】
【０００６】
この什器用照明器具は、支柱と、この支柱に支持される棚とを備えた什器に適用される什器用照明器具であって、前記支柱と略同幅の外形を有する棒状の外郭と、前記外郭内に保持された光源とを有し、前記外郭が前記支柱の上側に前記支柱に略同一軸上に略一体的に取付けられて少なくとも前記什器の前面側を照明することを特徴とするものである。
【０００７】
上記構成において、前記光源は前記什器の前記前面側と背面側を照明する請求項１記載の什器用照明器具。
【０００８】
上記構成において、前記外郭の一端部に前記支柱に沿って挿入することで前記支柱に取付けられる支柱取付部を設け、前記支柱に対する前記外郭の軸方向のぶれを調整するぶれ調整手段を有するものである。
【０００９】
この発明の什器は、上記構成の什器用照明器具が設置されたものである。
【００１０】
上記構成において、前記支柱の上端部に横桟を設け、前記横桟内に安定器を内蔵したものである。
【００１１】
この発明の什器システムは、上記構成の什器用照明器具が設置された複数の什器を前後方向に対向配置したことを特徴とするものである。
【発明の効果】
【００１２】
この発明の什器用照明器具によれば、支柱より上側すなわち棚より上側に光源が配置されるので棚にならべられた書物等の物品に対して効率よく光を放出することができるとともに、支柱の上側という高い位置に光源が配置されるので、高い位置からの照射が可能となる。このため、建物の吹き抜け空間等の高天井空間に設置したとき、吹き抜け空間等を別途照明器具を必要とすることなく、効率よく照明することができる。
【発明を実施するための最良の形態】
【００１３】
この発明の第１の実施の形態を図１から図５により説明する。すなわち、この什器は書架用であり、複数の支柱１と、支柱１間に架設された複数の棚２を有し、支柱１に什器用照明器具３が設置されている。什器用照明器具３は、例えば直径φ６０の支柱１と略同幅の外形を有する棒状の外郭４と、外郭４内に保持された光源５とを有し、外郭４は支柱１の上側で支柱１に略同軸上に軸に沿って略一体的に取付けられている。外郭４は下端部に設けた本体８と、この本体８の外周を覆う下カバー９と、本体８の上側に設けたソケット台に取付けられたランプソケット１０と、本体８より支柱１の軸方向に延びた２本のシャーシ１１と、シャーシ１１の上端部に設けたソケット台に取付けられたランプソケット１２と、シャーシ１１に外挿して下端部を下カバー９に嵌着したパイプ１３と、パイプ１３の上端部を被覆しソケット台につまみねじ１４により固定された上カバー１５とを備えている。パイプ１３は支柱１と同径の例えば丸形のパイプで、例えば外面消し加工されたポリカーボネイトにより形成されている。この場合、２本のシャーシ１１を支柱１の並び方向に配置し、シャーシ１１間に光源５を配置し、シャーシ１１により形成された什器の前面側と背面側の開口より、光源５の光を放射させて什器の前面側と背面側を主に照明する。なお、背面側を遮蔽して前面側のみを照明したり、シャーシ１１による遮光をできるだけ少なくして全周を照明可能にしてもよい。
【００１４】
外郭４の一端部すなわち下端部に支柱１に沿って支柱１の上端部に挿入することで支柱１に取付けられるアダプタすなわち支柱取付部６を設け、支柱取付部６に外郭４の軸方向のぶれを調整するぶれ調整手段７を設けている。図５に示すように支柱取付部６は支柱１の上端部に嵌合する筒体からなり、ぶれ調整手段７は支柱１の上端部に形成され一径方向に対向する一対のねじ挿通孔１７と、ねじ挿通孔１７から軸方向にずれた位置で一径方向に直交する他の径方向に一対のねじ挿通孔１８を形成している。また支柱取付部６を支柱１の上端部に嵌合した状態で各ねじ挿通孔１８に整合するねじ孔１７′、１８′を形成し、それぞれにねじ２０、２１を螺合する。図５（ｄ）、（ｅ）に示すように、照明器具は一径方向のねじ２０を支点にしてＡ方向に回動しようとするが他の径方向の一対のねじ２１により規制され、また他の径方向のねじ２１を支点にしてＢ方向に回動しようとするが一径方向の一対のねじ２０により規制される。しかも、ねじ２０、２１の螺合量により微調整でき、全方向のぶれを防止することが可能となり、床面３０との垂直度および支柱１とのストレート性を確保することができる。
【００１５】
光源は例えばＨＦ３２Ｗの直管蛍光ランプを使用し、シャーシ１１間でランプソケット１０、１２に装着され、ランプソケット１０、１２よりリード線２２が支柱取付部６より支柱１内に引き出されている。支柱１の上端部の支柱取付部６の嵌合位置に横桟２３を設け、横桟２３内に安定器２４を内蔵しており、横桟２３内の支柱１との接続付近に端子台２５を設置している。安定器２４は安定器取付カバー２６を介してねじ２７により取付けられている。支柱取付部６および支柱１に横桟２３に連通する連通孔２８を形成しており、連通孔２８を通してリード線２２が安定器２４に接続され、安定器２４は端子台２５に接続され、端子台２５には電源線２９が接続されて支柱１内を垂下し、支柱１の床面３０下に位置する下端の床取付部１ａより電源線２９の接続プラグ３１を引き出している。
【００１６】
この実施の形態によれば、一般照明が設置困難な吹き抜け空間において、通常であれば十分な照度を確保するためには、天井高さに応じて高ワット数の器具が必要であるが、什器支柱を利用することで低消費電力で効率の高い照明が提供でき、かつ一般天井照明がない状態でも、読書に必要な照度を確保できる。またパイプ式の照明器具を支柱１と同軸に設置することで、より高い位置から効率的に照射でき、前面および背面の2面発光が可能となる。また、すっきりした意匠を実現できる。
【００１７】
なお、光源は蛍光灯以外でも良い。例えばライトチューブ、LEDなどがある。
【００１８】
この発明の第２の実施の形態を図６により説明する。この発明の什器システムは、第１の実施の形態の什器用照明器具が設置された複数の什器３５を前後方向に対向配置している。また照明器具３は前後方向に照射するため、図６に示すような配光Ｌが床面上で得られ、照明器具３が高い位置にあっても、一対の什器間の通路の照明が各光源によって十分に得ることができる。
【図面の簡単な説明】
【００１９】
【図１】この発明の第１の実施の形態の部分正面図である。
【図２】その側面図である。
【図３】照明器具の付いた支柱の一部破断面図である。
【図４】その横桟の箇所における断面図である。
【図５】（ａ）は照明器具を支柱に取付ける前の側面図、（ｂ）は支柱取付部の斜視図、（ｃ）支柱取付部を支柱に嵌合した状態の断面図、（ｄ）は取付状態の正面図、（ｅ）は取付状態の側面図である。
【図６】第２の実施の形態による床面の配光を示す平面図である。
【符号の説明】
【００２０】
１    支柱
２    棚
３    什器用照明器具
４    外郭
５    光源
６    支柱取付部
７    ぶれ調整手段
２３    横桟
２４    安定器
３５    什器
【図１】
2005143703.tif 000003
【図２】
2005143703.tif 000004
【図３】
2005143703.tif 000005
【図４】
2005143703.tif 000006
【図５】
2005143703.tif 000007
【図６】
2005143703.tif 000008